(57)【要約】      （修正有）【課題】画像データによって後処理位置の設定をするとともに、画像形成装置の印刷設定に応じてこの後処理位置を適正化することができる画像形成装置、画像形成システム及び制御プログラムを提供する。【解決手段】用紙に後処理する後処理装置２０、３０と接続した画像形成装置１０は、受け付けた画像データを解析し、画像上の後処理位置を検出し、印刷設定により、検出した後処理位置を補正し、補正後の後処理位置から後処理設定を生成する制御部（解析部、後処理設定部）１１と、画像データにより、用紙に画像形成を行う画像形成部１３と、画像形成部１３で画像形成した用紙を、後処理装置２０に搬送する搬送部１４と、後処理設定部１１が生成した後処理設定を、搬送した用紙に対する後処理設定として、後処理装置２０に送信する通信部１９、を備える。【選択図】図２
2020188316.tif 000002
【特許請求の範囲】
【請求項１】
用紙に後処理する後処理装置と接続した画像形成装置であって、
画像データ、および印刷設定を含む印刷ジョブを受け付ける受付部と、
前記画像データを解析し、画像上の後処理位置を検出する解析部と、
前記印刷設定により、検出した前記後処理位置を補正し、補正後の後処理位置から後処理設定を生成する後処理設定部と、
前記画像データにより、用紙に画像形成を行う画像形成部と、
前記画像形成部で画像形成した用紙を、後処理装置に搬送する搬送部と、
前記後処理設定部が生成した前記後処理設定を、搬送した前記用紙に対する後処理設定として、前記後処理装置に送信する通信部と、
を備える画像形成装置。
【請求項２】
さらに、原稿を読み取って読取画像データを生成するスキャナーを備え、
前記受付部が受け付けた前記画像データは、前記スキャナーで生成した読取画像データである、請求項１に記載の画像形成装置。
【請求項３】
前記受付部が受け付けた前記画像データは、前記通信部を介して外部端末から送られた印刷ジョブに含まれる画像データである、請求項１、または請求項２に記載の画像形成装置。
【請求項４】
前記後処理設定部は、前記印刷設定に設定されている用紙サイズと、解析した前記画像データの画像領域のサイズとの比率から、補正後の前記後処理位置を算出する、請求項１から請求項３のいずれかに記載の画像形成装置。
【請求項５】
前記後処理設定部は、前記印刷設定に画像描画位置をシフトさせる画像シフト設定が含まれる場合に、前記画像シフト設定のシフト量に応じて、補正後の前記後処理位置を算出する、請求項１から請求項４のいずれかに記載の画像形成装置。
【請求項６】
前記後処理設定部は、前記印刷設定に用紙の表裏に関する前記画像シフト設定が含まれる場合に、表裏に関する前記画像シフト設定のシフト量に応じて、補正後の前記後処理位置を算出する、請求項５に記載の画像形成装置。
【請求項７】
前記後処理設定部は、前記印刷設定に画像の拡大縮小に関する倍率設定が含まれる場合に、前記倍率設定に応じて、補正後の前記後処理位置を算出する、請求項１から請求項６のいずれかに記載の画像形成装置。
【請求項８】
前記後処理設定部は、前記印刷設定に、１枚の用紙に複数ページ分の画像を縮小して配置する面付け設定が含まれる場合に、前記面付け設定での配置位置、縮小倍率に応じて、補正後の前記後処理位置を算出する、請求項１から請求項７のいずれかに記載の画像形成装置。
【請求項９】
さらに、ユーザーに情報を提示する提示部を備え、
前記解析部が検出した前記後処理装置での後処理の種類が、断裁処理である場合に、
前記提示部は、断裁処理後の印刷物のサイズを提示する、請求項１から請求項８のいずれかに記載の画像形成装置。
【請求項１０】
さらに、ユーザーに情報を提示する提示部、および設定受付部を備え、
前記解析部が検出した前記後処理装置での後処理の種類が、断裁処理である場合に、
前記設定受付部で断裁処理後の印刷物のサイズの設定を受け付け、
前記提示部は、設定された前記サイズを生成可能な、印刷設定情報を提示する、請求項１から請求項８のいずれかに記載の画像形成装置。
【請求項１１】
請求項１から請求項１０のいずれかに記載の画像形成装置と、
前記画像形成装置で画像形成された用紙に、前記画像形成装置から送信された後処理設定に応じて、後処理を施す後処理装置と、
を備える、画像形成システム。
【請求項１２】
用紙に後処理する後処理装置と接続した画像形成装置を制御する制御プログラムであって、
画像データ、および印刷設定を含む印刷ジョブを受け付けるステップ（ａ）と、
前記画像データを解析し、画像上の後処理位置を検出するステップ（ｂ）と、
前記印刷設定により、検出した前記後処理位置を補正し、補正後の後処理位置から後処理設定を生成するステップ（ｃ）と、
前記画像データにより、用紙に画像形成を行うステップ（ｄ）と、
前記ステップ（ｄ）で画像形成した用紙を、後処理装置に搬送するステップ（ｅ）と、
前記ステップ（ｃ）で生成した前記後処理設定を、前記ステップ（ｅ）で搬送した前記用紙に対する後処理設定として、前記後処理装置に送信するステップ（ｆ）と、
を含む処理を、コンピューターに実行させるための制御プログラム。
【発明の詳細な説明】
【技術分野】
【０００１】
本発明は、画像形成装置、画像形成システム、および制御プログラムに関する。
【背景技術】
【０００２】
画像形成装置に後処理装置を接続することで、インラインの後処理を行うシステムがある。この後処理装置では、画像形成装置で画像形成された印刷物に対して、断裁（トリマ）処理、綴じ処理、パンチ（穿孔）処理等の後処理を行う。また、必要な後処理の種類に応じて、組み合わせる後処理装置を選択したり、１台の画像形成装置に複数の後処理装置を接続したりする。
【０００３】
連結する後処理装置の種類によっては後処理設定の設定項目が多くなる。例えば、印刷物に対して、折り目やミシン目の生成や所望のサイズに断裁する事で、名刺、チケット、クーポン等の加工を行うインラインの断裁装置（トリマー装置）では、様々な断裁機能を備えているため、断裁設定の項目が多くなる。そのため、オペレータは、印刷ジョブ毎に断裁設定を行う際に複雑な操作が必要となり、手間がかかるという課題があった。
【０００４】
特許文献１には、複雑なＵＩ操作を必要とせずに容易に印刷体裁を設定できるようにするための印刷支援システムが開示されている。この印刷支援システムでは、オペレータが、指示入力用の紙媒体に手書きで印刷仕上がり体裁を入力し、これをスキャナーで読み込ませることで、折り目とステイプルの後処理設定を行う。
【先行技術文献】
【特許文献】
【０００５】
【特許文献１】特開２００８−２６２３２８号公報
【発明の概要】
【発明が解決しようとする課題】
【０００６】
しかしながら、特許文献１に開示された印刷支援システムでは、指示入力用の紙媒体を読み込ませることで、折り目等の後処理位置の設定を行っているが、この指示入力用の紙媒体は、原稿データとは異なるものである。すなわち、特許文献１では、原稿の画像データそのものに後処理位置設定用の記述を行い、これにより、後処理設定を行うものではない。また、特許文献１では、印刷設定を加味して、後処理位置を設定するものではなく、後処理位置についての適切な設定ができない場合がある。
【０００７】
本発明は、上記事情に鑑みてなされたものであり、画像データによって後処理位置の設定をするとともに、画像形成装置の印刷設定に応じてこの後処理位置を適正化できる画像形成装置を提供することを目的とする。
【課題を解決するための手段】
【０００８】
本発明の上記目的は、下記の手段によって達成される。
【０００９】
（１）用紙に後処理する後処理装置と接続した画像形成装置であって、
画像データ、および印刷設定を含む印刷ジョブを受け付ける受付部と、
前記画像データを解析し、画像上の後処理位置を検出する解析部と、
前記印刷設定により、検出した前記後処理位置を補正し、補正後の後処理位置から後処理設定を生成する後処理設定部と、
前記画像データにより、用紙に画像形成を行う画像形成部と、
前記画像形成部で画像形成した用紙を、後処理装置に搬送する搬送部と、
前記後処理設定部が生成した前記後処理設定を、搬送した前記用紙に対する後処理設定として、前記後処理装置に送信する通信部と、
を備える画像形成装置。
【００１０】
（２）さらに、原稿を読み取って読取画像データを生成するスキャナーを備え、
前記受付部が受け付けた前記画像データは、前記スキャナーで生成した読取画像データである、上記（１）に記載の画像形成装置。
【００１１】
（３）前記受付部が受け付けた前記画像データは、前記通信部を介して外部端末から送られた印刷ジョブに含まれる画像データである、上記（１）、または上記（２）に記載の画像形成装置。
【００１２】
（４）前記後処理設定部は、前記印刷設定に設定されている用紙サイズと、解析した前記画像データの画像領域のサイズとの比率から、補正後の前記後処理位置を算出する、上記（１）から上記（３）のいずれかに記載の画像形成装置。
【００１３】
（５）前記後処理設定部は、前記印刷設定に画像描画位置をシフトさせる画像シフト設定が含まれる場合に、前記画像シフト設定のシフト量に応じて、補正後の前記後処理位置を算出する、上記（１）から上記（４）のいずれかに記載の画像形成装置。
【００１４】
（６）前記後処理設定部は、前記印刷設定に用紙の表裏に関する前記画像シフト設定が含まれる場合に、表裏に関する前記画像シフト設定のシフト量に応じて、補正後の前記後処理位置を算出する、上記（５）に記載の画像形成装置。
【００１５】
（７）前記後処理設定部は、前記印刷設定に画像の拡大縮小に関する倍率設定が含まれる場合に、前記倍率設定に応じて、補正後の前記後処理位置を算出する、上記（１）から上記（６）のいずれかに記載の画像形成装置。
【００１６】
（８）前記後処理設定部は、前記印刷設定に、１枚の用紙に複数ページ分の画像を縮小して配置する面付け設定が含まれる場合に、前記面付け設定での配置位置、縮小倍率に応じて、補正後の前記後処理位置を算出する、上記（１）から上記（７）のいずれかに記載の画像形成装置。
【００１７】
（９）さらに、ユーザーに情報を提示する提示部を備え、
前記解析部が検出した前記後処理装置での後処理の種類が、断裁処理である場合に、
前記提示部は、断裁処理後の印刷物のサイズを提示する、上記（１）から上記（８）のいずれかに記載の画像形成装置。
【００１８】
（１０）さらに、ユーザーに情報を提示する提示部、および設定受付部を備え、
前記解析部が検出した前記後処理装置での後処理の種類が、断裁処理である場合に、
前記設定受付部で断裁処理後の印刷物のサイズの設定を受け付け、
前記提示部は、設定された前記サイズを生成可能な、印刷設定情報を提示する、上記（１）から上記（８）のいずれかに記載の画像形成装置。
【００１９】
（１１）上記（１）から上記（１０）のいずれかに記載の画像形成装置と、
前記画像形成装置で画像形成された用紙に、前記画像形成装置から送信された後処理設定に応じて、後処理を施す後処理装置と、
を備える、画像形成システム。
【００２０】
（１２）用紙に後処理する後処理装置と接続した画像形成装置を制御する制御プログラムであって、
画像データ、および印刷設定を含む印刷ジョブを受け付けるステップ（ａ）と、
前記画像データを解析し、画像上の後処理位置を検出するステップ（ｂ）と、
前記印刷設定により、検出した前記後処理位置を補正し、補正後の後処理位置から後処理設定を生成するステップ（ｃ）と、
前記画像データにより、用紙に画像形成を行うステップ（ｄ）と、
前記ステップ（ｄ）で画像形成した用紙を、後処理装置に搬送するステップ（ｅ）と、
前記ステップ（ｃ）で生成した前記後処理設定を、前記ステップ（ｅ）で搬送した前記用紙に対する後処理設定として、前記後処理装置に送信するステップ（ｆ）と、
を含む処理を、コンピューターに実行させるための制御プログラム。
【発明の効果】
【００２１】
本発明による画像形成装置は、受け付けた画像データを解析し、画像上の後処理位置を検出する解析部と、印刷設定により、検出した後処理位置を補正し、補正後の後処理位置から後処理設定を生成する後処理設定部と、後処理設定部が生成した後処理設定を、搬送した用紙に対する後処理設定として、後処理装置に送信する通信部と、を備える。このような画像形成装置とすることで画像データによって後処理位置の設定をするとともに、画像形成装置の印刷設定に応じてこの後処理位置を適正化できる。
【図面の簡単な説明】
【００２２】
【図１】本発明の一実施形態に係る画像形成装置を備えた画像形成システムの概略構成を示す断面図である。
【図２】画像形成システムのハードウェア構成を示すブロック図である。
【図３】第１の実施形態における後処理位置の設定処理を示すフローチャートである。
【図４】後処理位置の補正処理（ステップＳ４０）を示すサブルーチンフローチャートである。
【図５】コピーモードで用いる印刷設定用の操作画面の例である。
【図６】原稿の読取画像データと、この読取画像データから検出した後処理位置の例を示す模式図である。
【図７】印刷設定の用紙サイズに合わせて、後処理位置を補正する例を示す模式図である。
【図８】変形例における後処理位置の補正処理（ステップＳ４０）を示すサブルーチンフローチャートである。
【図９】印刷設定の画像シフトに合わせて、後処理位置を補正する例を示す模式図である。
【図１０】印刷設定の拡大縮小倍率に合わせて、後処理位置を補正する例を示す模式図である。
【図１１】印刷設定の複数面付けに合わせて、後処理位置を補正する例を示す模式図である。
【図１２】第２の実施形態における後処理位置の設定処理を示すフローチャートである。
【図１３】プリントモードで用いる印刷設定画面の例である。
【図１４】仕上がりサイズを表示する操作画面の例である。
【図１５】仕上がりサイズ設定用の操作画面の例である。
【図１６】仕上がりサイズに応じた印刷設定情報を表示する操作画面の例である。
【発明を実施するための形態】
【００２３】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００２４】
図１は、本発明の一実施形態に係る画像形成装置１０を備える画像形成システム１の概略構成を示す図である。図２は、画像形成システムのハードウェア構成を示すブロック図である。
【００２５】
図１、図２に示すように、画像形成システム１は、画像形成装置１０、第１の後処理装置２０、および第２の後処理装置３０を備える。画像形成装置１０は印刷データに基づいて用紙Ｓ（記録材）上に画像を形成する。後処理装置２０、３０は、画像形成装置１０にこの順で接続（連結）され、画像形成装置１０で印刷され、搬送された用紙Ｓ（印刷物）に対して、各種の後処理を行う。後処理された印刷物は、最後尾の後処理装置３０から排出される。後処理の種類としては、断裁処理、折り処理、穿孔（パンチ）処理、クリース処理、ミシン目形成処理、ステイプル処理、等がある。図１、図２に示す例では、後処理装置２０は後処理として断裁処理を行い、後処理装置３０はクリース処理（筋付け）を行うものとして説明する。
【００２６】
（画像形成装置１０）
図１、図２に示すように、画像形成装置１０は、制御部１１、記憶部１２、画像形成部１３、搬送部１４、操作表示部１５、スキャナー１６および通信部１９を備え、これらは信号をやり取りするためのバスを介して相互に接続される。
【００２７】
（制御部１１、記憶部１２）
制御部１１は、ＣＰＵであり、プログラムにしたがって装置各部の制御や各種の演算処理を行う。記憶部１２は、予め各種プログラムや各種データを格納しておくＲＯＭ、作業領域として一時的にプログラムやデータを記憶するＲＡＭ、各種プログラムや各種データを格納するハードディスク等からなる。
【００２８】
（画像形成部１３）
画像形成部１３は、例えば電子写真方式により画像を形成し、基本色（ＹＭＣＫ）のそれぞれに対応した書込部１３１、および作像部を備える。各作像部は、感光体ドラム１３２、帯電極（図示せず）、トナー、およびキャリアからなる２成分現像剤を収容する現像部１３３、クリーニング部（図示せず）を含む。各色の作像部で形成されたトナー画像は、中間転写ベルト１３４上で重ね合わせされ、２次転写部１３５において搬送された用紙Ｓに転写される。用紙Ｓ上の（フルカラーの）トナー画像は下流側の定着部１３６で加熱、加圧されることで用紙Ｓ上に定着される。
【００２９】
（搬送部１４）
搬送部１４は、複数の給紙トレイ１４１、搬送路１４２、１４３、ならびに、これらの搬送路１４２、１４３に配置した複数の搬送ローラー、およびこれを駆動する駆動モーター（図示せず）を備える。搬送部１４は、用紙Ｓの給紙、および搬送を行う。給紙トレイ１４１から給紙された用紙Ｓは、搬送路１４２を搬送され、画像形成部１３で画像形成された後、下流側の後処理装置２０に送られる。
【００３０】
また印刷ジョブの印刷設定が、両面印刷の設定であれば、片面（第１面）に画像形成された用紙Ｓを画像形成装置１０の下部にあるＡＤＵ搬送路１４３に搬送する。このＡＤＵ搬送路１４３に搬送された用紙Ｓは、スイッチバック経路で表裏を反転された後、搬送路１４２に合流し、再び画像形成部１３で用紙Ｓのもう一方の面（第２面）に画像形成される。
【００３１】
（操作表示部１５）
操作表示部１５はタッチパネル、およびハードキーとしてのテンキー、スタートボタン、ストップボタン等を備える。操作表示部１５は、画像形成システム１の状態を表示し、ユーザーによる各種設定、および指示の入力に使用される。また操作表示部１５は、スキャナー１６と協働することで、印刷ジョブを受け付ける受付部、および印刷設定を受け付ける設定受付部としても機能する。
【００３２】
（スキャナー１６）
スキャナー１６は、ＬＥＤ等の光源およびＣＣＤ（Ｃｈａｒｇｅ  Ｃｏｕｐｌｅｄ  Ｄｅｖｉｃｅ）イメージセンサー等の撮像素子を備える。スキャナー１６は、プラテンガラス上に載置した原稿をスキャン、またはＡＤＦ（Ａｕｔｏ  Ｄｏｃｕｍｅｎｔ  Ｆｅｅｄｅｒ）の載置部にセットした原稿を読取位置まで搬送することで、原稿に光源からの光を当て、その反射光を撮像素子で光電変換して、その電気信号から画像データ（以下、読取画像データという）を生成する。
【００３３】
（通信部１９）
通信部１９は、画像形成装置１０が、後処理装置２０、３０、およびＰＣ（パーソナルコンピュータ）等の外部端末との間で通信するためのインターフェースである。通信部１９は、接続された後処理装置２０、３０との間で、各種設定値や動作タイミング制御に必要な各種情報等の送受信を行う。通信部１９には、ＳＡＴＡ、ＰＣＩ、ＵＳＢ、イーサネット（登録商標）、ＩＥＥＥ１３９４などの規格によるネットワークインターフェースや、Ｂｌｕｅｔｏｏｔｈ（登録商標）、ＩＥＥＥ８０２．１１などの無線通信インターフェースなどの各種ローカル接続インターフェースなどが用いられる。またプリントモードの際は、通信部１９は、外部端末から、印刷設定、および印刷用の画像データで構成される印刷ジョブを受け付ける受付部として機能する。
【００３４】
（後処理装置２０）
図１、図２に示すように、後処理装置２０は、制御部２１、記憶部２２、後処理部としての断裁部２３、搬送部２４、および通信部２９を備える。これらは信号をやり取りするためのバス等の信号線を介して相互に接続される。
【００３５】
制御部２１、記憶部２２は、上述の制御部１１、記憶部１２と同様の構成である。この制御部２１は、画像形成装置１０の制御部１１、および後処理装置３０の制御部３１（後述）と協働することで、画像形成システム１全体の制御を行う。搬送部２４は、搬送路２４１、およびこの搬送路２４１に配置した複数の搬送ローラー、およびこれを駆動する駆動モーター（図示せず）を備える。搬送路２４１は、上流側の搬送路１４２と連結し、画像形成装置１０で画像形成された用紙Ｓを受け入れ、下流側の後処理装置３０の搬送路３４１に送る。これらの用紙Ｓの後処理設定、および、用紙サイズ、搬送タイミング等の搬送処理に必要な情報については、通信部１９、２９、３９を介して送受信する。
【００３６】
断裁部２３は、ＣＤ断裁ユニット、およびＦＤ断裁ユニットの少なくとも一方を含む。これらの断裁ユニットは、ロータリーカッター、またはギロチンカッターを備える。ＦＤ断裁ユニットは、用紙の天地を断裁するユニットである。すなわち、ＦＤ断裁ユニットは、用紙の搬送方向（ＦＤ：Ｆｅｅｄ  Ｄｉｒｅｃｔｉｏｎ）に沿って、用紙を断裁する。ＣＤ断裁ユニットは、搬送される用紙の先後端を断裁するユニットである。すなわち、ＣＤ断裁ユニットは、搬送方向に直交する幅方向（ＣＤ：Ｃｒｏｓｓ  Ｄｉｒｅｃｔｉｏｎ）に沿って、用紙を断裁する。断裁により生じた断裁屑は下方の屑箱（図示せず）に落下し、収集される。
【００３７】
また、画像形成システムは、１枚の用紙に複数ページ分の画像を縮小して配置する面付け設定を行う場合がある。以下においては、１枚の用紙にＮページ分（Ｎは２以上の整数）の画像を縮小して配置する場合には、Ｎｉｎ１（例えば２ｉｎ１、４ｉｎ１）という。２ｉｎ１の設定に応じて、後処理の設定としては、１枚の用紙を２枚の分割用紙に分割する場合は、断裁部２３は、１枚の用紙を中央部分で切断することで、２枚の分割用紙に分割する。そして、搬送部２４は、それぞれの分割用紙を順に、搬送路２４１に沿って下流側に搬送する。
【００３８】
（後処理装置３０）
後処理装置３０は、以下に説明する構成以外は、後処理装置２０と同様の構成を備える。
【００３９】
搬送路３４１は、上流側の搬送路２４１と連結し、上流側の後処理装置２０から搬送された用紙Ｓを受け入れ、後処理設定に応じて、後処理部としてのクリース部３３でクリース処理を施した後、排紙トレイ３４２に排出する。
【００４０】
クリース部３３は、ブレードを備え、用紙の所定方向、例えばＣＤ方向、またはＦＤ方向に筋を形成する。
【００４１】
（後処理位置の設定処理）
（第１の実施形態）
以下、図３から図７を参照し、主に画像形成装置１０で行う後処理位置の設定処理について説明する。図３は、第１の実施形態における後処理位置の設定処理を示すフローチャートである。この第１の実施形態では、コピーモードで行われる処理について説明する。
【００４２】
（ステップＳ１０）
図３に示すように、ユーザーからの操作表示部１５を通じた、印刷設定、およびコピー開始指示を受け付ける。図５は、コピーモードで用いる操作表示部１５に表示した、印刷設定用の操作画面１５１の例である。
【００４３】
ユーザーは、操作画面１５１により、コピー枚数、使用する用紙サイズ、倍率、Ｎｉｎ１、画像描画位置をシフトさせる画像シフト等の各項目の印刷設定を行える。以下においては、操作画面１５１に示すように（グレー表示）、印刷設定の例としてユーザーが、Ａ４サイズのトレイ２を選択した場合について説明する。ユーザーは、操作画面１５１で各種設定を行った後、操作表示部１５に設けられたスタートボタン（ハードキー）を操作することで、コピー開始指示を行う。
【００４４】
（ステップＳ２０）
制御部１１は、ステップＳ１０で、コピー開始指示がユーザーに入力されたことに応じて、スキャナー１６により原稿をスキャンし、読取画像データを生成する。この原稿は、事前にユーザーによりスキャナー１６のプラテンガラス上、またはＡＤＦに載置されたものである。
【００４５】
（ステップＳ３０）
図６は、原稿から得られた読取画像データと、この読取画像データから検出した後処理位置の例を示す模式図である。制御部１１は、解析部として機能する。解析部としての制御部１１は、ここでは、ステップＳ２０で生成された読取画像データを解析することで、後処理位置を自動的に検出し、設定する。
【００４６】
図６（ａ）は、読取画像データの例である。ユーザーは、後処理位置を設定するための指示情報として、手書きで、中央の画像領域（図では矩形の網掛けで示す）の四隅に４個のトンボ５０１、および外側中央に一対のライン５０２を記述している。また、ライン５０２に対する後処理種類を示す情報として文字５０３をライン５０２の脇に記述している。これらの指示情報は予め設定されたものであり、ユーザーは、マニュアルの記載に沿って、これらの指示情報を記述する。制御部１１は、読取画像データの所定領域内（主に画像の端部から所定幅内）に予め登録された画像パターンと対応する画像があるか否かを判定する。また、その所定領域内の手書き文字があればＯＣＲで、文字認識し、この文字が予め登録した文字データ（単語等）と対応するか否かを判定する。
【００４７】
図６（ｂ）は、解析部としての制御部１１が検出した後処理位置の例である。なお、同図において上下方向が用紙の搬送方向に対応する（以下の図でも同様）。また、図６（ａ）の一部の指示情報（トンボ、ライン）も参考としてグレイラインとして記載している。同図において用紙の上下端部は、断裁部２３のＣＤ断裁ユニットにより断裁され、左右端部（天地）は、ＦＤ断裁ユニットにより断裁される。制御部１１は、読取画像データの中央の画像領域の外側の領域に、一対、または４個１組の十字マークのトンボ５０１があれば、このトンボ５０１を結ぶ線を断裁位置５１１と判定し、また、その外側を断裁領域（廃棄部分）と判定する。また、クリースの文字とその脇に１対の線があれば、その線を結ぶライン領域を、クリースを形成するクリース位置５１２と判定する。なお、同図の例はあくまでも例であり、後処理の種類を文字（クリースの文字）ではなく、予め決められたマーク（星形、丸、三角、等）で示すようにしてもよい。
【００４８】
（ステップＳ４０）
制御部１１は、後処理設定部として機能する。後処理設定部としての制御部１１は、ここでは、ステップＳ１０でユーザーに設定された印刷設定によって、ステップＳ３０で検出した後処理位置を補正する。そして補正した後処理位置により、後処理設定を生成する。図４は、ステップＳ４０のサブルーチンフローチャートである。
【００４９】
（ステップＳ４０１）
後処理設定部としての制御部１１は、印刷設定の用紙サイズと、読取画像データの画像領域のサイズから、後処理位置を補正する。図７は、印刷設定の用紙サイズに合わせて、後処理位置を補正する例を示す模式図である。図７（ａ）は、図６（ｂ）に対応する図であり、同図では、簡単にするため複数の後処理位置（断裁位置５１１、クリース位置５１２）のうち、左側の１つの断裁位置５１１のみを示し、その他の後処理位置の記載を省略している（以下の図９〜図１１等でも同様）。
【００５０】
図７（ａ）では読取画像データにおける画像領域のサイズは、左右の長さ（以下、単に横幅ともいう）が１００ｍｍである。断裁位置５１１は、左側端部から１０ｍｍであり、左右全長に対して１０％の位置にある。一方で、図７（ｂ）に示すように用紙サイズ（Ａ４サイズ）の横幅は２９７ｍｍであることから、制御部１１は、サイズ比に対応させて、補正後の断裁位置５１１ａを算出する。算出された断裁位置５１１ａは、左側端部から２９．７ｍｍの位置に補正されている。後処理位置が複数ある場合には、同様の処理により全ての後処理位置の補正を行う（以下の図９〜図１１等でも同様）。
【００５１】
（ステップＳ４０２）
制御部１１は、ステップＳ４０１で補正した後処理位置で、後処理設定を生成する。以上によりサブルーチンフローチャートの処理を終了し、図３のメインの処理に戻る（エンド（リターン））。
【００５２】
（ステップＳ５０）
制御部１１は、通信部１９を用い、後処理設定を後処理の種類に対応した後処理装置に送信する。例えば、断裁処理に関する後処理設定であれば後処理装置２０に送信し、クリースに関する後処理設定であれば後処理装置３０に送信する。
【００５３】
（ステップＳ６０）
画像形成部１３は、読取画像データに基づいて、用紙Ｓに画像を形成する。
【００５４】
（ステップＳ７０）
制御部１１は、搬送部１４により、画像形成した用紙Ｓを下流側の後処理装置２０に搬送させ、終了する（エンド）。画像形成された用紙Ｓ（印刷物）が搬送された後処理装置２０、３０は、ステップＳ５０で画像形成装置１０から送信された後処理設定に設定された後処理種類、後処理位置に応じて、印刷物に対して後処理を行う。なお、後処理設定がない後処理装置は、単に、上流から送られた用紙Ｓをそのまま、下流側の後処理装置、または排紙トレイ３４２に送る。
【００５５】
このように、原稿の画像データにより後処理位置を検出（設定）するとともに、これを印刷設定により補正することで、後処理位置を適正化できる。特に、後処理位置を記述した原稿を作成した時点では、その後に行う印刷設定を加味できず、原稿の設定のまま後処位置を設定した場合には、ユーザーが意図しない位置で後処理が行われてしまう。また、これを避けるためには、印刷設定を行う際に、原稿に記述した後処理位置の補正を手動により行わなくてはならず、手順が煩雑になるという問題があった。本実施形態においては、このような場合、画像形成装置の制御部（後処理設定部）が、自動的に、印刷設定に基づいて補正を行うので、手順が煩雑にならずに、容易に後処理位置を適正化できる。
【００５６】
（変形例）
次に、図８〜図１１を参照し、変形例における後処理位置の補正処理について説明する。図４に示す第１の実施形態においては、印刷設定として、使用する用紙の用紙サイズに応じて、後処理位置の補正を行う例について説明した。以下に示す変形例においては、用紙サイズに加えて、他の印刷設定として、画像シフト設定、倍率設定、表裏倍率設定（表裏調整ともいう）、または面付け設定を反映して後処理位置の補正を行う。図８は、変形例における後処理位置の補正処理（ステップＳ４０）を示すサブルーチンフローチャートである。図８の処理は、後処理設定部として機能する制御部１１により行われる。
【００５７】
（ステップＳ４１１）
ここでの処理は、ステップＳ４０１と同じ処理である。制御部１１は、印刷設定の用紙サイズと、読取画像データの画像領域のサイズから、後処理位置を補正する。ここでは、使用する用紙サイズは、横幅１００ｍｍであり、読取画像データの画像領域のサイズと同じであるものとして、以降の処理を説明する。
【００５８】
（ステップＳ４１２）
制御部１１は、印刷設定を解析し、印刷設定に画像シフト設定が含まれていれば（ＹＥＳ）、処理をステップＳ４１３に進める。含まれていなければ（ＮＯ）、処理をステップＳ４１４に進める。
【００５９】
（ステップＳ４１３）
図９は、印刷設定の画像シフトに合わせて、後処理位置を補正する例を示す模式図である。制御部１１は、図９に示すように、画像シフトとして＋５ｍｍの設定であれば、シフト量に合わせて、後処理位置を補正する（図９（ａ）から図９（ｂ））。図９（ｂ）の補正後の断裁位置５１１ｂは、＋５ｍｍ設定に対応させ、左側端部から１５ｍｍの位置に補正されている。
【００６０】
（ステップＳ４１４）
制御部１１は、解析した印刷設定に倍率設定が含まれていれば（ＹＥＳ）、すなわち倍率が１００％以外であれば、処理をステップＳ４１５に進める。含まれていなければ（ＮＯ）、処理をステップＳ４１６に進める。
【００６１】
（ステップＳ４１５）
図１０は、印刷設定の倍率に合わせて、後処理位置を補正する例を示す模式図である。制御部１１は、図１０に示すように、倍率が５０％縮小の設定であれば、倍率に合わせて、後処理位置を補正する（図１０（ａ）から図１０（ｂ））。図１０（ｂ）の補正後の断裁位置５１１ｃは、５０％縮尺設定に対応させ、左側端部から５ｍｍの位置に補正されている。
【００６２】
（ステップＳ４１６）
制御部１１は、解析した印刷設定が両面印刷の設定であり、かつ表裏調整が含まれていれば（ＹＥＳ）、すなわち表面、裏面それぞれに画像シフトの設定がされていれば、処理をステップＳ４１７に進める。含まれていなければ（ＮＯ）、処理をステップＳ４１８に進める。
【００６３】
（ステップＳ４１７）
制御部１１は、表裏それぞれのシフト量の設定に合わせて、上述の図９と同様のシフトを行い、表裏それぞれの後処理位置を補正する。
【００６４】
（ステップＳ４１８）
制御部１１は、解析した印刷設定に上述したような面付け設定が含まれていれば（ＹＥＳ）、処理をステップＳ４１９進める。含まれていなければ（ＮＯ）、処理をステップＳ４２０に進める。
【００６５】
（ステップＳ４１９）
図１１は、印刷設定の面付け設定に合わせて、後処理位置を補正する例を示す模式図である。同図は、４ｉｎ１の例であり、制御部１１は、図１１に示すように、面付け設定に合わせて、後処理位置を補正する（図１１（ａ）から図１１（ｂ））。図１１（ｂ）の補正後の断裁位置５１１ｄは、４ｉｎ１の縮尺に対応させ、左側端部から５ｍｍの位置に補正されている。また、横方向において２面（２ページ分）あるため、左側端部から５５ｍｍの位置に、新たな断裁位置５１１ｅを追加している。
【００６６】
（ステップＳ４２０）
制御部１１は、ステップＳ４１１、Ｓ４１３、Ｓ４１５、Ｓ４１７、およびＳ４１９で補正した後処理位置で、後処理設定を生成する。なお、図９から図１１の例では、それぞれ単独で印刷設定に応じて後処理位置を補正する例を示したが、複数の項目の印刷設定がされていた場合には、これらの補正処理は組み合わせて適用することで補正後の後処理位置が算出される。以上によりサブルーチンフローチャートの処理を終了し、図３のメインの処理に戻る（エンド（リターン））。
【００６７】
このように、用紙サイズ、画像シフト設定、倍率設定、表裏調整設定、面付け設定、等の各項目の印刷設定に応じて、後処理位置を補正することで、第１の実施形態と同様の効果が得られる。
【００６８】
（第２の実施形態）
次に、図１２、図１３を参照し、第２の実施形態に係る画像形成装置１０について説明する。図１２は、第２の実施形態における後処理位置の設定処理を示すフローチャートである。上述の第１の実施形態では、コピーモードで行われる処理について説明した。これに対して、以下に説明する第２の実施形態では、プリントモードで行われる処理について説明する。
【００６９】
（ステップＳ５１０）
ユーザーは、ＰＣ等の外部端末上で動作するプリンタドライバの印刷設定画面を通じて、印刷ジョブの印刷設定を行う。図１３は、プリントモードで用いる印刷設定画面の例である。ユーザーは、このような印刷設定画面を通じて、プリント枚数、使用する用紙サイズ、倍率、Ｎｉｎ１、画像シフト等の各項目の印刷設定を行える。ユーザーは、各項目の印刷設定を確定させてから、別画面のプリントボタンを操作することで、印刷ジョブが画像形成装置１０に送信される。この印刷ジョブには、図１３の印刷設定画面等で設定した印刷設定、および印刷用の画像データ（以下、印刷画像データという）が含まれる。また、この印刷画像データは、図６（ａ）と同様の所定の予め登録された、後処理の種類、および後処理位置を設定に用いる指示情報としての画像パターンや文字データが含まれる。
【００７０】
（ステップＳ５２０）
画像形成装置１０は、通信部１９を通じて、印刷ジョブを受信する。印刷ジョブを受信することに応じて、以降のステップの印刷処理を開始する。
【００７１】
（ステップＳ５３０〜Ｓ５７０）
ステップＳ５３０〜Ｓ５７０は、それぞれ図３のＳ３０〜Ｓ７０に対応する。画像形成装置１０の制御部１１は、ステップＳ５２０で受信した、外部端末から送られた印刷ジョブにより用紙Ｓに画像形成を行い、画像形成した印刷物を下流側の後処理装置２０、３０に搬送して印刷設定に応じた後処理を施して終了する。具体的には、印刷ジョブの印刷画像データを解析することで後処理位置を検出し、この検出した後処理位置の設定を、印刷設定を用いて図４、または図８等で示した処理により補正する。そして補正後の後処理位置で後処理設定を生成し、これを、後処理を実行する後処理装置２０、３０に送信する。
【００７２】
このようにすることで、第２の実施形態においても第１の実施形態と同様の効果が得られる。すなわち、印刷の画像データにより後処理位置を検出するとともに、これを印刷設定により補正することで、後処理位置を適正化できる。
【００７３】
（第２の変形例）
次に、図１４〜図１６を参照し、第２の変形例について説明する。図１４〜図１６は、第２の変形例における仕上がりサイズに関する表示を行う操作画面の例である。図１４に示すように、画像形成装置１０は、後処理の種類が断裁処理である場合に、断裁処理後の印刷物のサイズを操作表示部１５の操作画面１５２を通じて、ユーザーに提示する。操作画面１５２には、印刷ジョブを実行した場合に、後処理後の仕上がりサイズが４０ｍｍ×２０ｍｍになることを示している。画像形成装置１０の制御部１１は、画像データの検出のみから判定した断裁後の仕上がりサイズが８０×４０ｍｍである場合に、印刷設定の５０％縮小を反映してこれを補正する場合、印刷を実行する前に操作画面１５２のように、補正後の仕上がりサイズをユーザーに提示する。このようにすることで、意図しない仕上がりとなることを防止できる。
【００７４】
また、さらに、ユーザーの意図しない仕上がりになる場合には、仕上がりサイズの変更を受け付けるようにしてもよい。図１５は、操作表示部１５に表示した、仕上がりサイズを受け付ける操作画面１５３である。ユーザーは、所望のサイズを入力し、その後、ＯＫボタンを操作することで入力が確定する。また、入力が確定した後は、印刷設定として変更すべき項目の情報（印刷設定情報）を提示するようにしてもよい。図１６は、仕上がりサイズに応じた印刷設定情報を表示する操作画面１５４の例である。これにより、ユーザーは、容易に適切な印刷設定に変更できる。
【００７５】
以上に説明した、画像形成装置１０、およびこれを備える画像形成システム１の構成は、上述の実施形態の特徴を説明するにあたって主要構成を説明したのであって、上述の構成に限られず、特許請求の範囲内において、種種改変できる。また、画像形成装置１０、画像形成システム１が備える構成を排除するものではない。
【００７６】
例えば、上述の実施形態においては、２台の後処理装置２０、３０を画像形成装置１０に接続した例を示したが、１台、または３台以上の後処理装置を接続してもよい。また、ユーザーへの仕上がりサイズ等の提示を、操作表示部１５により行う例を示したがこれに限られず、通信部１９を提示部として機能させ、これにより、外部端末上で動作するプリンタドライバを通じて、提示するようにしてもよい。
【００７７】
上述した実施形態に係る画像形成システム１、および画像形成装置１０における各種処理を行う手段および方法は、専用のハードウェア回路、またはプログラムされたコンピューターのいずれによっても実現することが可能である。上記プログラムは、例えば、ＵＳＢメモリやＤＶＤ（Ｄｉｇｉｔａｌ  Ｖｅｒｓａｔｉｌｅ  Ｄｉｓｃ）−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶部に転送され記憶される。また、上記プログラムは、単独のアプリケーションソフトとして提供されてもよいし、装置の一機能としてその装置のソフトウエアに組み込まれてもよい。
【符号の説明】
【００７８】
１  画像形成システム
１０  画像形成装置
１１  制御部
１２  記憶部
１３  画像形成部
１４  搬送部
１５  操作表示部
１６  スキャナー
１９  通信部
２０、３０  後処理装置
【図１】
2020188316.tif 000003
【図２】
2020188316.tif 000004
【図３】
2020188316.tif 000005
【図４】
2020188316.tif 000006
【図５】
2020188316.tif 000007
【図６】
2020188316.tif 000008
【図７】
2020188316.tif 000009
【図８】
2020188316.tif 000010
【図９】
2020188316.tif 000011
【図１０】
2020188316.tif 000012
【図１１】
2020188316.tif 000013
【図１２】
2020188316.tif 000014
【図１３】
2020188316.tif 000015
【図１４】
2020188316.tif 000016
【図１５】
2020188316.tif 000017
【図１６】
2020188316.tif 000018